(57)【要約】【課題】歯科治療椅子のヘッドレスト部に、骨伝導スピーカを一体的に或いは着脱自在に設け、聴力の弱い患者に対しても、耳栓をしている患者やヘッドホンをかけている患者に対しても、術者との会話が十分にできるようにした。【解決手段】歯科治療椅子１のヘッドレスト９内に、骨伝導スピーカ１０が埋め込まれており、該骨伝導スピーカ１０は、例えば、歯科治療椅子１に着脱自在に接続されるマイクロホン２０より駆動（振動）されるようになっている。従って、聴力の弱い患者、耳栓やヘッドホンをした患者が治療を受ける時は、術者はマイクロホン２０及び骨伝導スピーカ１０を通して患者に話しかけ、患者は肉声にて術者に応えることができ、術者は、患者と会話をしながら歯科治療を行うことができる。【選択図】図１
2005066021.tif 000002
【特許請求の範囲】
【請求項１】
歯科治療椅子のヘッドレストに骨伝導スピーカを有し、該歯科治療椅子外に前記骨伝導スピーカを駆動するためのマイクロホンを有することを特徴とする歯科治療椅子。
【請求項２】
前記骨伝導スピーカは、前記ヘッドレストに埋設されていることを特徴とする請求項１に記載の歯科治療椅子。
【請求項３】
前記骨伝導スピーカは、前記ヘッドレストに対して突出又は延長する部材に設けられていることを特徴とする請求項１に記載の歯科治療椅子。
【請求項４】
前記骨伝導スピーカは、前記ヘッドレストに対して着脱自在に装着可能であることを特徴とする請求項１に記載の歯科治療椅子。
【請求項５】
患者の頭部に搭載される骨伝導スピーカであって、該骨伝導スピーカは、ヘッドホンのヘッドホンバンドに一体的に取り付けられていることを特徴とする歯科治療用骨伝導スピーカ。
【発明の詳細な説明】
【技術分野】
【０００１】
本発明は、歯科用治療椅子、より詳細には、歯科治療椅子のヘッドレスト部に、骨伝導スピーカを一体的に或いは着脱自在に設け、例えば、聴力の弱い患者に対しても、術者との会話が十分にできるようにしたものである。
【背景技術】
【０００２】
図４は、本発明が適用される歯科治療ユニットの一例を示す全体構成図で、歯科治療ユニットは、治療椅子１、ワークテーブル２、無影灯３、無影灯アーム４、インスツルメントホルダ５、フットスイッチ６、アシスタントインスツルメントホルダ７等から成り、インスツルメントホルダ５には、歯科治療において使用する種々のインスツルメント８が収納されており、周知のように、歯科治療に当り、患者は椅子１に座り、頭を安頭台（ヘッドレスト）９に固定して治療を受ける。治療中、術者は治療椅子１を上下動、倒起動、傾斜動等させて、患者を治療しやすい姿勢にして治療を行う。
【０００３】
而して、歯科治療中、術者は患者と会話をしながら、例えば、患者に治療部位の状態を説明したり、患者に治療方法を説明したりしながら歯科治療を行うが、患者が聴力の弱い人であるような場合、術者の話しが患者に十分に伝わらないことがある。
【０００４】
また、聴力に不自由のない人であっても、歯牙切削時にエアタービン等から発生する不快な音を軽減するために、患者によっては、耳栓を用いたり、ヘッドホンステレオを用いるが、このような場合においても、術者と患者との間での会話が十分にとれないという問題があった。
【発明の開示】
【発明が解決しようとする課題】
【０００５】
本発明は、上述のごとき実情に鑑みてなされたもので、特に、聴覚の不自由な人、或いは、歯科治療中、耳栓やヘッドホンをかけて歯牙切削音等が聞こえないようにしている人等に対して術者が会話しながら歯科治療ができるようにすることを目的としてなされたものである。
【課題を解決するための手段】
【０００６】
本発明は、上述のごとき目的を達成するために、歯科治療椅子において、患者が頭をのせる部分（ヘッドレスト部）或いはそれに準ずる箇所に骨伝導スピーカを設け、術者からのマイク音を該骨伝導スピーカを通して患者の頭蓋骨に与え、該骨伝導スピーカからの振動を内耳へ伝達して、術者と患者との会話を可能としたものである。
【発明の効果】
【０００７】
聴覚の不自由な患者、耳栓やヘッドホンにて歯牙切削音を聞えないようにしている患者に対して、骨伝導を通して術者からの話しを伝達することができる。
【発明を実施するための最良の形態】
【０００８】
本発明は、歯科用治療椅子において、患者が頭をのせる部分（ヘッドレスト部）又は、それに準ずる箇所に骨伝導スピーカを設け、歯科治療中に、術者が患者と会話をする際に、聴力の弱い患者に対しても、ヘッドホンステレオや耳栓を併用することにより不快なエアタービン等の歯牙切削時の騒音を軽減させるようにしている患者に対しても、術者よりのマイク音を骨伝導スピーカを通して患者に伝えるようにして、患者との会話ができるようにしたものである。
【０００９】
前述のように、歯科を訪れる患者にとっての不快要素のうちの１つにエアタービン等の歯牙切削音がある。また、この歯牙切削音（騒音）は、患者に対する恐怖感を与えることもある。この歯牙切削音を消すために、耳栓やヘッドホンを使用することも可能であるが、今度は、必要な音（先生との会話等）も消してしまう。そこで、本発明は、骨伝導スピーカとヘッドホンを併用させ、騒音を消し、かつ、必要な会話も可能にしようとするものである。
【００１０】
図１は、本発明による歯科治療椅子の一実施例を説明するための要部（ヘッドレスト部）概略構成図で、図示実施例においては、歯科治療椅子１のヘッドレスト９内に、骨伝導スピーカ１０が埋め込まれており、該骨伝導スピーカ１０は、該歯科治療椅子１に例えば着脱自在に接続されるマイクロホン２０より駆動されるようになっている。従って、聴力の弱い患者、耳栓やヘッドホンをした患者が歯科治療を受ける時は、術者はマイクロホン２０及び骨伝導スピーカ１０を通して患者に話しかけ、患者は肉声にて術者に応えることができ、術者は、患者と会話をしながら歯科治療を行うことができる。
【００１１】
図１には、骨伝導スピーカ１０をヘッドレスト９内に埋め込むようにした例について説明したが、本発明において、骨伝導スピーカ１０は、必ずしも、ヘッドレスト部内に埋め込む必要はなく、例えば、ヘッドレスト９から突出または延長する別部材に取り付けるようにしてもよく、更には、ヘッドレスト９に対して着脱自在に装着し得るようにし、歯科治療時、患者の頭部が該骨伝導スピーカ１０に乗るような構成であれば、何でもよい。
【００１２】
また、以上には、骨伝導スピーカ１０と該骨伝導スピーカ１０を振動させるマイクロホン２０を有線にて接続する例を示したが、骨伝導スピーカ１０をマイクロホン２０により無線にて駆動するようにしてもよい。
【００１３】
また、耳栓やヘッドホンと一体的に骨伝導スピーカ１０を取り付けておき、耳栓或いはヘッドホン使用時に、骨伝導スピーカが患者の頭部に搭載されるようにしてもよい。
【００１４】
図２は、ヘッドレスト９より延長する延長部材１１に骨伝導スピーカ１０を設けた場合の一例を示す図で、該骨伝導スピーカ１０で患者の頭部を支えるようにすることにより、該骨伝導スピーカ１０の振動を骨伝導により患者の内耳へ伝達することができる。
【００１５】
図３は、ヘッドホン３０に骨伝導スピーカ１０を一体的に組み合わせた場合の一例を示す概略構成図で、この例は、ヘッドホンバンド３１に骨伝導スピーカ１０を取り付け、該骨伝導スピーカ１０の振動が、骨伝導により患者の内耳に伝達するようにしたものである。
【００１６】
以上の説明から明らかなように、本発明によると、聴力の弱い患者、耳栓やヘッドホンにて歯牙切削音が聞こえないようにしている患者に対しても、術者は会話をしながら歯科治療を行うことができる。
【図面の簡単な説明】
【００１７】
【図１】本発明による歯科治療椅子の一実施例を説明するための要部（ヘッドレスト部）概略構成図である。
【図２】ヘッドレストより延長する延長部材に骨伝導スピーカを設けた場合の一例を示す図である。
【図３】ヘッドホンに骨伝導スピーカを一体的に組み合わせた場合の一例を示す概略構成図である。
【図４】本発明が適用される歯科治療ユニットの一例を示す全体構成図である。
【符号の説明】
【００１８】
１…歯科治療椅子、９…ヘッドレスト（安頭台）、１０…骨伝導スピーカ、１１…延長部材、２０…マイクロホン、３０…ヘッドホン、３１…ヘッドホンバンド。
【図１】
2005066021.tif 000003
【図２】
2005066021.tif 000004
【図３】
2005066021.tif 000005
【図４】
2005066021.tif 000006